(57)【要約】【課題】表示させる画像ごとに適した光量を設定する。【解決手段】基本明るさである段階情報Ｌ＿ＳＴＥＰは、スイッチ１５８、１５９の押下により段階的に設定される。押下されたアイコン１１に対応する画面ＩＤが、遷移先の画像を特定する特定情報として情報処理装置１００に送信される。ＣＰＵ１０１は、特定情報に基づいて表示用データを生成すると共に、段階情報Ｌ＿ＳＴＥＰと、遷移先の画像に対応する補正係数Ｃｏｅｆ＿ｎとに基づいて、バックライト光量Ｌを生成し、これらを表示装置１５０へ転送する。【選択図】図３
2019215397.tif 000002
【特許請求の範囲】
【請求項１】
表示装置に次に表示させるべき画像を特定するための特定情報を取得する取得手段と、
前記取得手段により取得された特定情報に基づいて、前記表示装置の光量を指定するための光量指定情報を生成する第１の生成手段と、
取得された前記特定情報で特定される画像を前記表示装置に表示するための表示用データを生成する第２の生成手段と、
前記第１の生成手段により生成された光量指定情報及び前記第２の生成手段により生成された表示用データを前記表示装置へ転送する転送手段と、を有することを特徴とする情報処理装置。
【請求項２】
前記取得手段は、前記表示装置の表示の明るさを調整するための調整情報を取得すると共に、取得した前記特定情報に対応する補正情報を取得し、
前記第１の生成手段は、前記取得手段によりそれぞれ取得された前記調整情報、及び前記補正情報に基づいて前記光量指定情報を生成することを特徴とする請求項１に記載の情報処理装置。
【請求項３】
前記取得手段は、取得した前記特定情報に対応する補正情報を、特定情報と補正情報とが対応付けられた情報から取得することを特徴とする請求項２に記載の情報処理装置。
【請求項４】
前記取得手段は、取得した前記特定情報に対応する画像の平均濃度を取得し、取得した前記平均濃度に対応する補正情報を、画像濃度と補正情報とが対応付けられた情報から取得することを特徴とする請求項２に記載の情報処理装置。
【請求項５】
画像濃度と補正情報とが対応付けられた前記情報において、第１の画像濃度よりも、前記第１の画像濃度より濃い第２の画像濃度の方が、前記調整情報の変化に対する前記光量指定情報の変化の度合いが大きくなるような補正情報が対応付けられていることを特徴とする請求項４に記載の情報処理装置。
【請求項６】
前記次に表示させるべき画像は前記表示装置で選択され、
前記取得手段は、前記表示装置で選択された画像に対応する特定情報を前記表示装置から取得することを特徴とする請求項１〜５のいずれか１項に記載の情報処理装置。
【請求項７】
前記表示装置に複数のアイコンを含む所定の画像が表示されている状態で、前記複数のアイコンのうちユーザによって指定されたアイコンに対応する画像が、前記次に表示させるべき画像として選択されることを特徴とする請求項６に記載の情報処理装置。
【請求項８】
表示部と、
前記表示部に次に表示させるべき画像を特定するための特定情報を取得する取得手段と、
前記取得手段により取得された特定情報に基づいて、前記表示部の光量を決定する決定手段と、
取得された前記特定情報で特定される画像を、前記決定手段により決定された光量で前記表示部に表示させる制御手段と、を有することを特徴とする情報処理装置。
【請求項９】
情報処理装置の制御方法であって、
表示装置に次に表示させるべき画像を特定するための特定情報を取得し、
取得された前記特定情報に基づいて、前記表示装置の光量を指定するための光量指定情報を生成し、
取得された前記特定情報で特定される画像を前記表示装置に表示するための表示用データを生成し、
前記光量指定情報、及び前記表示用データを前記表示装置へ転送することを特徴とする情報処理装置の制御方法。
【請求項１０】
情報処理装置の制御方法であって、
表示部に次に表示させるべき画像を特定するための特定情報を取得し、
取得された前記特定情報に基づいて、前記表示部の光量を決定し、
取得された前記特定情報で特定される画像を、決定された前記光量で前記表示部に表示させることを特徴とする情報処理装置の制御方法。
【請求項１１】
請求項９または１０に記載の情報処理装置の制御方法をコンピュータに実行させることを特徴とするプログラム。
【請求項１２】
請求項１〜７のいずれか１項に記載の情報処理装置と、表示装置と、を有する情報処理システムであって、
前記表示装置は、
前記特定情報を前記情報処理装置に送信し、
前記転送手段から転送されてきた表示用データを、前記転送手段から転送されてきた光量指定情報に基づく光量で表示することを特徴とする情報処理システム。
【発明の詳細な説明】
【技術分野】
【０００１】
本発明は、画面表示の明るさを調整する際の表示制御の技術に関する。
【背景技術】
【０００２】
従来、情報処理装置が、液晶モジュールなどの表示装置に画像を表示させる情報処理システムが知られている。このシステムには、ユーザの操作によって上記表示装置の表示の明るさを任意に変更できるものがある。例えば、表示装置または情報処理装置に付随するハードキーを用いて、ユーザが明るさを調整する。特許文献１の情報処理装置は、明るさを指定する調整情報に従って、表示装置のバックライト機能に対して、ＰＷＭ信号または供給電流を変更することで、表示装置の明るさをユーザの所望する明るさに変更する。設定されたバックライトの明るさは、表示装置に表示される画像にかかわらず一定である。すなわち、ユーザが一旦、設定したバックライトの明るさは、表示され得るすべての画面に対して適用される。
【先行技術文献】
【特許文献】
【０００３】
【特許文献１】特開２００８−３１００４５号公報
【発明の概要】
【発明が解決しようとする課題】
【０００４】
ところが、表示される画像の濃度によっては、ユーザにとっての適切なバックライトの明るさが異なる。例えば、バックライトの明るさが変更された場合に、濃度が濃い画像（暗めの画像）では、濃度が薄い画像（明るめの画面）と比べると、ユーザは明るさの変化を認識しにくい。つまり、濃度が濃い画像では特に、バックライトの明るさを変化させてもその効果をユーザが体感しにくい場合がある。別の観点からいえば、バックライトの明るさが同じであっても、濃度の異なる画像に遷移すると、ユーザとっては所望の明るさでなくなったと感じられる場合があるという問題があった。
【０００５】
本発明は、表示させる画像ごとに適した光量を設定することを目的とする。
【課題を解決するための手段】
【０００６】
上記目的を達成するために本発明は、表示装置に次に表示させるべき画像を特定するための特定情報を取得する取得手段と、前記取得手段により取得された特定情報に基づいて、前記表示装置の光量を指定するための光量指定情報を生成する第１の生成手段と、取得された前記特定情報で特定される画像を前記表示装置に表示するための表示用データを生成する第２の生成手段と、前記第１の生成手段により生成された光量指定情報及び前記第２の生成手段により生成された表示用データを前記表示装置へ転送する転送手段と、を有することを特徴とする。
【発明の効果】
【０００７】
本発明によれば、表示させる画像ごとに適した光量を設定することができる。
【図面の簡単な説明】
【０００８】
【図１】情報処理システムの全体構成を示すブロック図である。
【図２】表示装置の画面表示例を示す図である。
【図３】輝度調整処理のフローチャートである。
【図４】メインメニュー画面の表示例である。
【図５】補正係数を取得するためのテーブルの例を示す図である。
【図６】コピー画面の表示用データの例を示す図である。
【発明を実施するための形態】
【０００９】
以下、図面を参照して本発明の実施の形態を説明する。
【００１０】
図１は、本発明の一実施の形態に係る情報処理装置を含む情報処理システムの全体構成を示すブロック図である。この情報処理システムは、情報処理装置１００と表示装置１５０とが通信可能に接続されて構成される。一例として、情報処理装置１００はＭＦＰ（Multifunction Peripheral）等の画像形成装置あるいは印刷制御装置であり、表示装置１５０は、各種情報を表示したり各種操作を受け付けたりする機能を有するデバイスである。しかし、情報処理装置１００、表示装置１５０の構成はこれらの例示に限定されない。
【００１１】
まず、情報処理装置１００の各ソフトウェアを制御するハードウェア構成の一例について説明する。情報処理装置１００は、画像を読み取るスキャナ１０８、画像を印刷するプリンタ１０７を接続可能である。情報処理装置１００は、ネットワーク１４０や公衆回線１４１と接続することで、画像情報やデバイス情報の入出力を行う。ＣＰＵ１０１は、情報処理装置１００の全体を統括的に制御するプロセッサである。ＣＰＵ１０１は、印刷される画像データの画像処理や、ネットワーク制御を行うほか、プリンタ１０７に印刷の指示を出すことによって印刷処理も制御する。
【００１２】
情報処理装置１００は、ＣＰＵ１０１の指示のもと、ネットワークインタフェース（Ｎｅｔｗｏｒｋ  Ｉ／Ｆ）１０６を介して、ネットワーク１４０に接続されたクライアントＰＣ（パーソナルコンピュータ）やサーバと通信可能である。例えば情報処理装置１００は、クライアントＰＣから印刷データを受信する。ＲＡＭ１０２は、ＣＰＵ１０１が動作するためのシステムワークメモリであり、画像データを一時記憶するための画像メモリでもある。ＲＡＭ１０２は、ＣＰＵ１０１の主メモリや、ワークエリア等として機能する。ＲＡＭ１０２には、情報処理装置１００内の設定情報や各処理を行った時のジョブログや操作ログなどが格納される。ＲＯＭ１０３は、ブートＲＯＭであり、システムのブートプログラムを格納している。ＨＤＤ１０５は、ハードディスクドライブであり、システムソフトウェア、アプリケーション、画像データを格納する。
【００１３】
操作部Ｉ／Ｆ（インタフェース）１０４は、表示装置１５０への画像データの送信のほか、表示装置１５０との各種通信を行う。操作部Ｉ／Ｆ１０４はまた、表示装置１５０においてユーザにより入力された情報をＣＰＵ１０１に伝える役割も果たす。ネットワークインタフェース１０６は、ネットワーク１４０に接続し、情報の入出力を行う。ＭＯＤＥＭ（モデム）１０９は公衆回線に接続し、情報の入出力を行う。ＳＲＡＭ１１３は、高速動作可能な不揮発性の記憶媒体である。ＲＴＣ１１４は、リアルタイムクロックであり、情報処理装置１００に電源が入っていない状態でも現在の時刻をカウントし続ける処理を行う。Ｉｍａｇｅ  Ｂｕｓ  Ｉ／Ｆ１１６は、画像バス１１７を接続し、データ構造を変換するバスブリッジである。以上のデバイスがシステムバス１１５上に配置される。
【００１４】
画像バス１１７は、ＰＣＩバスまたはＩＥＥＥ１３９４で構成される。画像バス１１７は、システムバス１１５との間で画像データを高速で転送する。画像バス１１７上には以下のデバイスが配置される。まず、ＲＩＰ部１１８は、ラスタイメージプロセッサであり、ＰＤＬデータをビットマップイメージに展開する。デバイスＩ／Ｆ１１９は、スキャナ１０８やプリンタ１０７を情報処理装置１００と接続し、画像データの同期系／非同期系の変換を行う。スキャナ画像処理部１２０は、入力画像データに対して補正、加工、編集を行う。プリンタ画像処理部１２１は、プリント出力する画像データに対して、補正、解像度変換等を行う。暗号処理部１２２は画像データを含む入力データの暗号化処理を行う。復号処理部１２３は暗号化データの複合化処理を行う。
【００１５】
次に、表示装置１５０の各ソフトウェアを制御するハードウェア構成の一例について説明する。表示装置１５０は、情報処理装置１００に対して、バス１６１とシリアルバス１６０とにより接続されている。表示装置１５０は、マイコン１５１、タッチパネルモジュール１５２、液晶データコンバータ（ＤａｔａＣｏｎｖ）１５３、液晶モジュール１５４のほか、物理的な入力操作子としてスイッチ１５８、１５９を有する。
【００１６】
情報処理装置１００は、液晶モジュール１５４に表示するための表示用データをバス１６１を通じて転送する。表示装置１５０のマイコン１５１と情報処理装置１００のＣＰＵ１０１とは、シリアルバス１６０を通じて通信する。マイコン１５１は、表示装置１５０の全体を統括的に制御するマイクロコンピュータである。マイコン１５１内のＲＯＭには、マイコン１５１が動作するためのプログラムが格納されている。
【００１７】
タッチパネルモジュール１５２は、液晶モジュール１５４の表面に配置され、タッチパネルデバイスとタッチパネルデバイスコントローラとで構成されている。タッチパネルデバイスは、抵抗膜式、静電容量方式、赤外線等の光学式のいずれでもよい。タッチパネルモジュール１５２は、ユーザが触れた箇所の位置情報（座標）を、タッチパネル通信バス１５６を介してマイコン１５１に通知する。
【００１８】
液晶データコンバータ１５３は、情報処理装置１００の操作部Ｉ／Ｆ１０４からバス１６１を介して画像データを受け取り、それを液晶モジュール１５４が受け取ることのできるデータフォーマットに変換するモジュールである。例えば、液晶データコンバータ１５３は、情報処理装置１００から、ディスプレイポート（ＤｉｓｐｌａｙＰｏｒｔ）やＨＤＭＩ（登録商標）などの規格のデータを受け取る。そして液晶データコンバータ１５３は、受け取ったデータを、液晶モジュール１５４が受け取ることのできるＬＶＤＳ（Low Voltage Differential Signaling）やＣＭＯＳレベルの信号フォーマットに変換する。また、液晶データコンバータ１５３はバス１５５でマイコン１５１と接続されており、情報処理装置１００から送られてきた画像データに対して、マイコン１５１で生成された画像データを所定の位置に上書きする機能も有する。
【００１９】
液晶モジュール１５４は、ＬＣＤ及びバックライトモジュールを有するモジュールである。液晶モジュール１５４は、液晶データコンバータ１５３から画像データをバス１５７を介して受け取り、予め決められたタイミングで画像データをＬＣＤに転送する。その際、バックライトモジュールが発光することで、ＬＣＤに転送された画像データが可視画像として表示される。
【００２０】
バックライトの明るさの調整は、表示装置１５０に付随する明るさ変更用のスイッチ１５８及びスイッチ１５９のユーザ操作によって行われる。スイッチ１５８、スイッチ１５９の押下に応じて、マイコン１５１は、液晶モジュール１５４内のバックライトモジュールの輝度を段階的に増減するためのコマンドを、シリアルバス１６０を介して情報処理装置１００へ送信する。このコマンドは、表示装置１５０の表示の明るさを調整するための「調整情報」となる。情報処理装置１００において、操作部Ｉ／Ｆ１０４が、表示装置１５０から調整情報を取得する。また、マイコン１５１は、上記コマンドを液晶モジュール１５４内のバックライトモジュールに対して送信する。
【００２１】
例えば、スイッチ１５８が１回押下されると、マイコン１５１は、バックライトモジュールの明るさ（輝度）を現在値より１段階高くするためのコマンドを送信する。１段階明るくするコマンドを受け取ったバックライトモジュールは、バックライト内のＬＥＤデバイスに対して、１段階に応じた予め決められた分だけ増加させた電流値を供給する。また、スイッチ１５９が１回押下されると、マイコン１５１は、バックライトモジュールの明るさを現在値より１段階高くするためのコマンドを送信する。１段階暗くするコマンドを受け取ったバックライトモジュールは、バックライト内のＬＥＤデバイスに対して、１段階に応じた予め決められた分だけ減少させた電流値を供給する。
【００２２】
図２は、表示装置１５０の画面表示例を示す図である。図２では、表示装置１５０の液晶モジュール１５４に、メインメニュー画面５０１（ＴＯＰ画面）が表示されている。このメインメニュー画面５０１には、複数（例えば８個）のアイコン１１が表示されている。各アイコン１１は、現在表示されているメインメニュー画面５０１から他の画面へと、画面表示を遷移させる機能を有するソフトボタンである。例えば、アイコン１１−１はコピー機能、アイコン１１−２はスキャン機能、アイコン１１−３はＦＡＸ機能の画面へ遷移させるためのボタンである。なお、各アイコン１１と、それに対応する機能用の画像とは、画面ＩＤによって対応付けられている。各アイコン１１の位置に対応する座標データに画面ＩＤが対応付けられている。ユーザは、アイコン１１を押下することで、次に表示させるべき画像を選択する。アイコン１１が押下されると、押下された位置の座標データまたは該座標データに対応する画面ＩＤが、特定情報として情報処理装置１００に送信される。
【００２３】
アイコン１１の押下は、画面遷移の指示がされたことを意味する。この特定情報は、次に表示させるべき画像（遷移先の画像と称する）を特定するための情報である。ところで、電源が投入されたときに最初に表示装置１５０に表示される画面は１つであり、メインメニュー画面５０１と定められている。遷移先の画像は、メインメニュー画面５０１から遷移し得る画面であり、ユーザにより押下されたアイコン１１で決まる。アイコン１１の数は８個に限定されない。
【００２４】
次に、表示装置１５０のバックライトの明るさ調整をユーザ操作に基づき行う動作を、図３〜図６を用いて説明する。図３は、輝度調整処理のフローチャートである。この処理は、情報処理装置１００及び表示装置１５０の協働により、例えば所定時間間隔で実行される。この輝度調整処理のうち情報処理装置１００における処理は、ＲＯＭ１０３に格納されたプログラムをＣＰＵ１０１がＲＡＭ１０２に読み出して実行することにより実現される。この輝度調整処理のうち表示装置１５０における処理は、マイコン１５１が、マイコン１５１が備えるＲＯＭに格納されたプログラムをマイコン１５１が備えるＲＡＭに読み出して実行することにより実現される。この処理において、ＣＰＵ１０１は、本発明における取得手段、第１の生成手段、第２の生成手段及び転送手段としての役割を果たす。
【００２５】
なお、この処理の開始時点において、表示装置１５０には、メインメニュー画面５０１が表示されているとする。また、情報処理装置１００は、表示装置１５０にどの画面が表示されているかを、最後に表示装置１５０へ転送した表示用データから認識できる。
【００２６】
まず、ステップＳ３０１で、表示装置１５０のマイコン１５１は、スイッチ１５８、１５９のいずれかが押下されることによる、液晶モジュール１５４のバックライトの基本明るさの変更指示があったか否かを判別する。ここで、基本明るさは、バックライトのベースとなる輝度であり、表示画像が固定である場合は、基本明るさでバックライトの輝度が決定される。基本明るさは、段階情報Ｌ＿ＳＴＥＰとして段階的に設定される。段階情報Ｌ＿ＳＴＥＰは、一例として、３０％から１００％まで１０％刻みの８段階で設定可能であり、％値が高いほどバックライトは明るくなる。段階情報Ｌ＿ＳＴＥＰは、スイッチ１５８が押下されると１段階高くなり、スイッチ１５９が押下されると１段階低くなる。表示装置１５０においては、段階情報Ｌ＿ＳＴＥＰの現在値はマイコン１５１内のＲＡＭに保存される。
【００２７】
ステップＳ３０１でスイッチ１５８、１５９の操作により基本明るさの変更指示があった場合は、マイコン１５１は、ステップＳ３０２で、スイッチ１５８、１５９の操作に応じて更新した段階情報Ｌ＿ＳＴＥＰを、情報処理装置１００へ送信する。ステップＳ３０３では、情報処理装置１００のＣＰＵ１０１は、受信した段階情報Ｌ＿ＳＴＥＰをＲＡＭ１０２に記憶させる。従って、情報処理装置１００においては、ＲＡＭ１０２に最新の段階情報Ｌ＿ＳＴＥＰが保存される。その後、処理はステップＳ３０６に移行する。
【００２８】
表示装置１５０のマイコン１５１は、ステップＳ３０１で、基本明るさの変更指示がなかった場合は、画面遷移の指示があったか否かを判別する。すなわち、マイコン１５１は、表示中のメインメニュー画面５０１内のいずれかのアイコン１１が押下されたか否かを判別する。そして、いずれのアイコン１１も押下されない場合は、マイコン１５１は、処理をステップＳ３０１に戻す。いずれかのアイコン１１が押下された場合は、マイコン１５１は、押下されたアイコン１１に対応する画面ＩＤまたは押下された位置の座標データを、特定情報として取得し、当該特定情報を情報処理装置１００へ送信する（ステップＳ３０５）。
【００２９】
図４は、表示装置１５０におけるメインメニュー画面５０１の表示例を示す図である。画面遷移の指示は、例えば、カーソル４０１を用いた操作によりなされる。例えば、アイコン１１−１がカーソル４０１により押下されたとする。アイコン１１−１はコピー機能を示すので、コピー画面５０３（図６）への遷移が指示されたことになる。また、アイコン１１−３がカーソル４０１により押下されたとする。アイコン１１−３はＦＡＸ機能を示すので、ＦＡＸ画面（不図示）への遷移が指示されたことになる。
【００３０】
一方、情報処理装置１００のＣＰＵ１０１は、ステップＳ３０５において、表示装置１５０から送信された特定情報を受信することで取得し、取得した特定情報に基づき遷移先の画像を特定する。取得された最新の特定情報はＲＡＭ１０２に記憶される。遷移し得る画像には各々、画面ＩＤが対応付けられている。図５（ａ）は、画面ＩＤと補正係数との関係を規定するテーブルの例を示す図である。補正係数については後述する。一例として、メインメニュー画面５０１、コピー画面５０３（図６）、ＦＡＸ画面のそれぞれの画面ＩＤは、“ＩＤ＿０”、“ＩＤ＿１”、“ＩＤ＿２”であるとする。このテーブル５１は情報処理装置１００のＨＤＤ１０５に予め格納されている。
【００３１】
次に、ステップＳ３０６で、情報処理装置１００のＣＰＵ１０１は、ＲＡＭ１０２に記憶されている段階情報Ｌ＿ＳＴＥＰを取得する。次に、ステップＳ３０７で、ＣＰＵ１０１は、図５（ａ）に示すテーブル５１から、上記特定情報に対応する補正係数を取得する。このテーブル５１においては、画面ＩＤの各々に補正情報としての補正係数Ｃｏｅｆ＿ｎが対応付けられている。従って、ステップＳ３０５を経由した場合は、ステップＳ３０５で取得された特定情報で特定される画面ＩＤに対応する補正係数Ｃｏｅｆ＿ｎが取得される。また、ステップＳ３０３を経由した場合は、最後に取得された特定情報で特定される画面ＩＤに対応する補正係数Ｃｏｅｆ＿ｎが取得される。
【００３２】
補正係数Ｃｏｅｆ＿ｎは、平均濃度が最も低い（明るい）画面に対応するものが１．０と設定されている。対応する画面の平均濃度が高い（暗い）ほど、補正係数Ｃｏｅｆ＿ｎは、低い値に設定されている。例えば、画面の平均濃度は、メインメニュー画面５０１、コピー画面５０３、ＦＡＸ画面の順で、メインメニュー画面５０１が最も高い（暗い）とする。従って、メインメニュー画面５０１、コピー画面５０３、ＦＡＸ画面の補正係数Ｃｏｅｆ＿ｎは、それぞれ、０．７、０．９、１．０に設定されている。なお、これらの値は例示であり、画面デザインに応じて適宜設計される。
【００３３】
次に、ステップＳ３０８で、ＣＰＵ１０１は、取得された段階情報Ｌ＿ＳＴＥＰと、取得された補正係数Ｃｏｅｆ＿ｎとに基づいて、表示装置１５０のバックライトに設定するバックライト光量Ｌを算出する。バックライト光量Ｌは次の式１で算出される。
Ｌ＝１００−｛（１００−Ｌ＿ＳＴＥＰ）／Ｃｏｅｆ＿ｎ｝・・・（１）
【００３４】
一例を説明すると、アイコン１１−１が押下された場合、特定情報で特定される画面ＩＤは“ＩＤ＿１”であるので、ステップＳ３０７で取得される補正係数Ｃｏｅｆ＿ｎは“０．９”となる。また、ステップＳ３０６で取得された段階情報Ｌ＿ＳＴＥＰは７０％であるとする。すると、式１から、バックライト光量Ｌは、６６．７と算出される。
【００３５】
ステップＳ３０９では、ＣＰＵ１０１は、遷移先の画像を表示するための表示用データをＲＡＭ１０２上に生成する。図６は、コピー画面５０３の表示用データを例示する図である。例えば、アイコン１１−１が押下された場合、遷移先の画像はコピー画面５０３であるので、ＣＰＵ１０１は、図６に示すようなコピー画面５０３の表示用データを生成する。また、アイコン１１−３が押下された場合、遷移先の画像はＦＡＸ画面であるので、ＣＰＵ１０１は、ＦＡＸ画面の表示用データを生成する。
【００３６】
次に、ステップＳ３１０では、ＣＰＵ１０１は、ステップＳ３０９で生成した表示用データと、ステップＳ３０８で算出したバックライト光量Ｌとを、操作部Ｉ／Ｆ１０４を介して表示装置１５０へ転送する。ここで転送されるバックライト光量Ｌは、表示装置１５０の光量を指定するための「光量指定情報」に該当する。
【００３７】
次に、ステップＳ３１１で、表示装置１５０のマイコン１５１は、情報処理装置１００から転送されてきた表示用データを液晶モジュール１５４に表示する。マイコン１５１は、その際のバックライトの明るさを、情報処理装置１００から転送されてきたバックライト光量Ｌに基づき設定する。例えば、段階情報Ｌ＿ＳＴＥＰが７０％の状態でアイコン１１−１が押下された場合、バックライト光量Ｌ＝６６．７に応じた明るさで、コピー画面５０３が表示される。その後、図３の処理は終了する。
【００３８】
段階情報Ｌ＿ＳＴＥＰが７０％であるとすると、バックライトの明るさは、メインメニュー画面５０１が表示されていたときは、バックライト光量Ｌ＝５７．１に応じた値であった。段階情報Ｌ＿ＳＴＥＰが変更されることなく、メインメニュー画面５０１からコピー画面５０３に遷移した際、バックライトの明るさは、バックライト光量Ｌ＝６６．７に応じた値に変更される（明るくなる）。ところが、コピー画面５０３の平均濃度はメインメニュー画面５０１より薄い（明るい）ため、ユーザにとっては、画面が明るさはあまり変わらないままであると感じられる。つまり、バックライトの明るさが同じまま濃度の異なる画像に遷移した場合であっても、ユーザとっては所望の明るさが維持されていると感じられる。
【００３９】
一方、画面は遷移せず、基本明るさの変更指示がなされ、ステップＳ３０１〜Ｓ３０３を経由した場合、バックライト光量Ｌは、基本明るさの変更指示に基づき変化する。例えば、メインメニュー画面５０１が表示され且つ、段階情報Ｌ＿ＳＴＥＰが７０％である状態で、スイッチ１５９が１回押下されると段階情報Ｌ＿ＳＴＥＰが６０％になる。バックライトの明るさは、スイッチ１５９が１回押下される前は、バックライト光量Ｌ＝５７．１に応じた値であったが、スイッチ１５９が１回押下された後は、バックライト光量Ｌ＝４２．９に応じた値に変化する。その際のバックライト光量Ｌの変化の度合いは、差で１４．２、比で０．７５である。
【００４０】
また、コピー画面５０３が表示され且つ、段階情報Ｌ＿ＳＴＥＰが７０％である状態で、スイッチ１５９が１回押下されると段階情報Ｌ＿ＳＴＥＰが６０％になる。バックライトの明るさは、スイッチ１５９が１回押下される前は、バックライト光量Ｌ＝６６．７に応じた値であったが、スイッチ１５９が１回押下された後は、バックライト光量Ｌ＝５５．６に応じた値に変化する。その際のバックライト光量Ｌの変化の度合いは、差で１１．１、比で０．８３である。
【００４１】
従って、画面は遷移せずに基本明るさの変更指示がなされた場合を考えると、メインメニュー画面５０１の表示時の方がコピー画面５０３の表示時よりも、スイッチ１５８、１５９の操作によるバックライト光量Ｌの変化の度合いが大きくなっている。このように設定しているのは、濃度が濃い画像（暗めの画像）では、濃度が薄い画像（明るめの画面）と比べると、ユーザは明るさの変化を認識しにくいからである。つまり、本実施の形態では、コピー画面５０３に対応する補正係数Ｃｏｅｆ＿ｎ（０．９）よりもメインメニュー画面５０１に対応する補正係数Ｃｏｅｆ＿ｎ（０．７）を小さくしている（図５（ａ））。これにより、明るさを変更しても、ユーザにとって変化の感度の低い画像（暗い画像）については、変化が認識されやすいようにしている。逆にユーザにとって変化の感度の高い画像（明るい画像）については、変化が認識され過ぎないようにしている。
【００４２】
本実施の形態によれば、表示装置１５０は、画面遷移の指示があると、次に表示させるべき画像（遷移先の画像）を特定するための特定情報を情報処理装置１００へ送信する。ＣＰＵ１０１は、表示装置１５０から取得した特定情報に基づいて、表示用データを生成すると共にバックライト光量Ｌを生成し、これらを表示装置１５０へ転送する。表示装置１５０では、バックライト光量Ｌに応じた光量で、表示用データに応じた画像を表示する。よって、表示させる画像に応じた光量でその画像を表示させることができる。特に、ＣＰＵ１０１は、基本明るさである段階情報Ｌ＿ＳＴＥＰと、遷移先の画像に対応する補正係数Ｃｏｅｆ＿ｎとに基づいて、バックライト光量Ｌを生成する。段階情報Ｌ＿ＳＴＥＰは、表示装置１５０における操作により変更可能である。よって、バックライトの基本の明るさを変更しても画像ごとに光量を適切に設定できる。
【００４３】
また、テーブル５１（図５（ａ））において、補正係数Ｃｏｅｆ＿ｎは、画像濃度が濃いほど、段階情報Ｌ＿ＳＴＥＰの変化に対するバックライト光量Ｌの変化の度合いが大きくなるように設定されている。従って、バックライトの明るさを変化させた場合において、濃度が濃い（暗め）画面でも、濃度が薄い（明るい）画面と同様の明るさの変化をユーザが体感することができる。
【００４４】
なお、本実施の形態では、テーブル５１（図５（ａ））において、画面ＩＤごとに補正係数Ｃｏｅｆ＿ｎが予め対応付けられていた。しかし、これに限らず、図５（ｂ）に変形例を示すように、ＣＰＵ１０１は、画面濃度ごとに補正係数Ｃｏｅｆ＿ｎが対応付けられたテーブル５２から補正係数Ｃｏｅｆ＿ｎを取得してもよい。図５（ｂ）に示すテーブル５２においては、画像濃度が濃いほど、段階情報Ｌ＿ＳＴＥＰの変化に対するバックライト光量Ｌの変化の度合いが大きくなるような補正係数Ｃｏｅｆ＿ｎが対応付けられている。例えば、第１の画像濃度（０〜７）に対し、第１の画像濃度より濃い第２の画像濃度（８〜１５）の方が、補正係数Ｃｏｅｆ＿ｎが小さい値となっている。なお、ＣＰＵ１０１は、このテーブルを参照するにあたって、特定情報に対応する画像の平均濃度を公知の手法等で取得し、取得した平均濃度に対応する補正係数Ｃｏｅｆ＿ｎを取得する。
【００４５】
なお、メインメニュー画面５０１以外の画面から他の画面へ遷移できるように構成してもよい。その場合、情報処理装置１００に操作子を設け、ＣＰＵ１０１は、この操作子に対するユーザからの入力操作に基づき、遷移先の画像を特定するための特定情報を取得してもよい。その場合、上記他の画面の表示中においても、図３の処理が実行され得る。なお、上記他の画面の表示中において、図３のステップＳ３０１、Ｓ３０４の処理が継続して所定時間以上繰り返された場合は、画面表示が自動的にメインメニュー画面５０１に戻るようにしてもよい。そのようにした場合は、Ｓ３０４でＹＥＳとなり、特定情報はメインメニュー画面５０１に対応するものが送信される。
【００４６】
なお、情報処理装置１００は、スキャナ１０８及びプリンタ１０７のいずれかまたは双方が一体に組み込まれた装置であってもよい。なお、情報処理装置１００と表示装置１５０との接続は無線通信によるものであってもよい。なお、表示部としての表示装置１５０と情報処理装置１００に相当する装置とが物理的に一体となった情報処理装置においても、本発明を適用可能である。
【００４７】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００４８】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４９】
１００  情報処理装置
１０１  ＣＰＵ
１０４  操作部Ｉ／Ｆ
１５０  表示装置
【図１】
2019215397.tif 000003
【図２】
2019215397.tif 000004
【図３】
2019215397.tif 000005
【図４】
2019215397.tif 000006
【図５】
2019215397.tif 000007
【図６】
2019215397.tif 000008